(57)【要約】【課題】  鉛筆キャップを嵌めたまま鉛筆削り器で鉛筆を削ることが出来、鉛筆の全長が概ね３ｃｍの長さになるまで鉛筆を削り、かつ使用することが出来る鉛筆キャップを提供する。【解決手段】  鉛筆キャップの外形を円柱形とした場合はその直径が、外形を六角柱とした場合はその対角線長が鉛筆と概略同じである円柱形または六角柱の本体部と、前記本体部の一方の先端面に円錐状の凹部を設けて、その前記円錐状の凹部の内壁に本体部と同一の部材若しくは別部材よりなる螺旋状の突起を設けた鉛筆キャップとする。【選択図】図１
2010036569.tif 000002
【特許請求の範囲】
【請求項１】
直径または対角線長が鉛筆と概略同等である円柱形若しくは多角柱の本体部と、前記本体部の片端面に円錐状の凹部を有し、前記円錐状の凹部に螺旋状の突起を有していることを特徴とする鉛筆キャップ。
【請求項２】
前記螺旋状の突起は前記本体部と同一部材で構成されていることを特徴とする、請求項１の鉛筆キャップ。
【請求項３】
前記螺旋状の突起は前記本体部とは別部材で構成されていることを特徴とする、請求項１の鉛筆キャップ。
【請求項４】
前記本体部の外周面には、本体部先端からの距離が略６ｃｍで外径が０．９ｃｍ以上のストッパー部を有することを特徴とする、請求項１ないし請求項３の鉛筆キャップ。
【請求項５】
前記本体部の外周面には、前記本体部の先端からの距離が略３ｃｍの位置に前記本体部の外周面全周にわたって溝を有すると共に、前記溝には外径が０．９ｃｍ以上の弾性部材よりなる環状部材が嵌められていることを特徴とする、請求項１ないし請求項５の鉛筆キャップ。
【発明の詳細な説明】
【技術分野】
【０００１】  本発明は使用して短くなった鉛筆の後端に連結して鉛筆を持ち易いように長く延長する、いわゆる鉛筆キャップに関するものである。
【背景技術】
【０００２】
【特許文献１】特開２００７−２８３７３９
【特許文献２】特開２００４−３０６５７０
【発明の開示】
【発明が解決しようとする課題】
【０００３】  図５は従来の鉛筆キャップの使用例を示す断面図である。１０は鉛筆キャップ、４は鉛筆である（想像線にて表示）。従来の鉛筆キャップは、短くなった鉛筆の後端に円筒状の鉛筆キャップの内径φＤ１１が鉛筆の外周部を覆うように嵌合して鉛筆と連結することで、短くなった鉛筆の長さを延長するものであるため、鉛筆キャップの外径φＤ１２は円柱状の鉛筆の外径、若しくは六角柱の鉛筆の対角線長よりも鉛筆キャップの肉厚の分だけ太くなっている。一方鉛筆削り器は安全上の問題から鉛筆挿入口に指が入れられないように、鉛筆挿入口の内径は必要以上に大きく出来ない。その為、ハンドルを回して鉛筆を削る手動の鉛筆削り器や、挿入口に鉛筆を押し込むだけで鉛筆が削れる、電動の鉛筆削り器で鉛筆を削ろうとした場合、鉛筆キャップを嵌めたまま鉛筆削り器で鉛筆を削ろうとすると、鉛筆キャップが鉛筆削り器の挿入口に支えてしまうので、鉛筆を削るときには鉛筆キャップを外す必要が生じるばかりか、概ね８ｃｍ以下の長さになった鉛筆は、鉛筆削り器にセットすることが出来ず、かといって鉛筆キャップで鉛筆の長さを延長すると今度は鉛筆キャップが鉛筆削り器の挿入口へ支えてしまうので、結局短くなった鉛筆を鉛筆削り器で削ることが出来ず、概ね８ｃｍ以下の長さになった鉛筆は捨ててしまうという不都合が生じていた。【０００４】  また、単純に嵌め込むだけの形式の鉛筆キャップは、鉛筆が鉛筆キャップに嵌め込まれる部分の長さを長く必要とするため、概ね４ｃｍ以下のあまりに短くなった鉛筆に使用することは出来なかった。一方嵌合リングをスライドさせて強い力で鉛筆を挟み込むようにして概ね４ｃｍ以下の長さの鉛筆にも使用出来るように改良された鉛筆キャップもあるが、この場合は鉛筆を持ったときに嵌合リングが指先に当り、小さな子どもでは鉛筆の持ち方が悪くなり、字が書き難くなってしまうと言う欠点があった。【０００５】  一方、鉛筆に円錐状の凹みを設けておいて、次の新しい鉛筆を前記の円錐状の凹みに接着することで短くなった鉛筆を延長したり（特開２００７−２８３７３９）、両端に円錐状の凹みを設けたジョイントで２本の鉛筆を接着して短くなった鉛筆を延長する（特開２００４−３０６５７０）方法が開示されているが、接着を必要としたり、特殊な形状の鉛筆を用意する必要があったり、特殊な鉛筆削り器が必要であるなど、あまり使い勝手の良い物ではなかった。
【課題を解決するための手段】
【０００６】  鉛筆キャップの外形を円柱形とした場合はその直径が、外形を六角柱とした場合はその対角線長が鉛筆と概略同じである円柱形または六角柱の本体部と、前記本体部の一方の先端面に円錐状の凹部を設けて、その前記円錐状の凹部の内壁に本体部と同一の部材若しくは別部材よりなる螺旋状の突起を設けた鉛筆キャップとする。
【発明の効果】
【０００７】  鉛筆キャップの外形の直径もしくは対角線長が鉛筆のそれと等しいので、鉛筆キャップが鉛筆削り器の挿入口に支えることなく、鉛筆キャップを嵌めたまま鉛筆削り器で鉛筆を削ることが出来、また鉛筆キャップを嵌めることによって鉛筆の見かけの長さを延長出来るので、鉛筆の全長が概ね３ｃｍの長さになるまで鉛筆を削ることが出来る。また、鉛筆キャップを嵌めて使用することが出来る鉛筆の最短長も、概ね３ｃｍまでと改善することが出来る。外形も鉛筆の延長形状であるので、持ったときの違和感も少なく、使い心地も改善される。
【発明を実施するための最良の形態】
【０００８】  次に図を用いて最良の効果を得られる形態の実施例を説明する。
【実施例】
【０００９】  図１は本発明の鉛筆キャップの第一の実施例を示す断面図である。１は本体部、４は鉛筆である（想像線にて表示）。２は本体部の端面に設けられた円錐状の凹部で、円錐状の凹部２の円錐面の一部には螺旋状の突起３が設けられている。図１の実施例では螺旋状の突起３は本体部１と同一の素材で一体成型されて出来ている。【００１０】  本発明の鉛筆キャップを鉛筆４に連結させるにあたり、鉛筆４の後端面を予め鉛筆削りで少し削っておく。鉛筆の後端面を削る量は螺旋状の突起３が鉛筆４に噛み合う分でよく（４ａは鉛筆の後端部）、本体部１を鉛筆４へねじ込むようにして嵌め込むことで、本体部１と鉛筆４はしっかり締結される。【００１１】  螺旋状の突起３は鉛筆削り器で鉛筆４を削っても本体部１と鉛筆４との締結が外れないように、右ねじとなっている。【００１２】  以上のように構成することで、鉛筆キャップの外形の直径もしくは対角線長が鉛筆のそれと等しくて、鉛筆キャップが鉛筆削り器の挿入口に支えることなく、鉛筆キャップを嵌めたまま鉛筆削り器で鉛筆を削ることが出来、また鉛筆キャップで鉛筆の見かけの長さを延長しているので、鉛筆の全長が概ね３ｃｍの長さになるまで鉛筆を削ることが出来、また使用することが出来る鉛筆の最短長も、概ね３ｃｍまでと改善することが出来、外形も鉛筆の延長形状であるので、持ったときの違和感も少なくて使い心地も改善された鉛筆キャップを提供できる。【００１３】  図２は本発明の鉛筆キャップの第二の実施例を示す断面図である。第一の実施例に対して、螺旋状の突起３ａは本体部１とは別部材、例えば本体部１はプラスチック製で螺旋状の突起３ａは金属で構成されており、円錐状の凹部２の円錐面に埋め込まれている。螺旋状の突起３ａも第一の実施例と同じように右ねじになっている。【００１４】  図３は本発明の鉛筆キャップの第三の実施例を示す断面図である。第一の実施例に対して、本体部１に肉盗み１ａを設けて鉛筆キャップ自体の軽量化を図るとともに、締結された鉛筆との重量バランスをとって、書き易さを損なわないようにしている。更に本体部１の外径を途中から太くしたストッパー部が設けてある（記号１ｂ部）。ストッパー部１ｂの最大直径φＤ１は一般の鉛筆削り器（不図示）の鉛筆挿入口の内径（不図示）よりも太く設定している。この為鉛筆キャップを嵌めた状態で鉛筆を削ってゆくうちに、鉛筆４の長さが３ｃｍを下回って本体部１を削ってしまうような状態になったときに、ストッパー部１ｂが鉛筆削り器の挿入口（不図示）に支えて、それ以上鉛筆４が鉛筆削り器の中へ入らないようにすることで、鉛筆削り器で本体部１を削ってしまうことが無いようにしている。ストッパー部１ｂの最大直径φＤ１は０．９ｃｍ〜１ｃｍが、また先端からの距離Ｌ１は６ｃｍが適当である。【００１５】  図４は本発明の鉛筆キャップの第四の実施例を示す断面図である。第三の実施例に対して、先端からの距離Ｌ２が３ｃｍの本体部１の外周面に円弧状の溝１ｃを設け、その円弧状の溝１ｃに最大直径φＤ１が０．９ｃｍ〜１ｃｍの弾性部材よりなる環状部材５が嵌めこんである。電動の鉛筆削り器を使用した場合には環状部材５がストッパになって鉛筆削り器の挿入口（不図示）に支えて、���れ以上鉛筆４が鉛筆削り器の中へ入らないようにすることで、本体部１が削れられてしまうのを防止することが出来る。また環状部材５を外すことで、第三の実施例とほぼ同形状となり手動の鉛筆削り器も使用可能になる。
【産業上の利用可能性】
【００１６】  以上のような構成とすることで、鉛筆キャップを嵌めたまま鉛筆削り器で鉛筆を削ることが出来、鉛筆の全長が概ね３ｃｍの長さになるまで鉛筆を削り、かつ使用することが出来て資源の有効利用に効果的であって、かつ使い心地の良い鉛筆キャップを、鉛筆と接着したり、鉛筆に円錐状の凹みを設ける等の特殊な加工を施すことなく提供することが出来る。
【図面の簡単な説明】
【００１７】
【図１】第一の実施例を示す断面図
【図２】第二の実施例を示す断面図
【図３】第三の実施例を示す断面図
【図４】第四の実施例を示す断面図
【図５】従来例を示す断面図
【符号の説明】
【００１８】１    本体部
２    円錐状の凹部
３    螺旋状の突起
４    鉛筆
１ｂ  ストッパー部
１ｃ  溝
５    環状部材
【図１】
2010036569.tif 000003
【図２】
2010036569.tif 000004
【図３】
2010036569.tif 000005
【図４】
2010036569.tif 000006
【図５】
2010036569.tif 000007